(57)【要約】【課題】外部記憶素子からデータを読み込み活用するための操作が容易なように、外部記憶素子の装着部が設けられた電気調理装置を提供する。【解決手段】内部の調理空間に通じる上面開口部を有する本体１と、本体に回動可能に支持され、上面開口部を開閉自在に覆う蓋体２と、調理空間での調理処理を機能させる調理処理部と、本体の表面部に上面開口部と隣接して配置され、調理処理部の動作を操作するための操作要素および表示要素が配置された操作・表示部３と、操作・表示部による操作および記憶されたプログラムに従って調理処理部の動作を制御する制御部１１とを備える。操作・表示部の近傍に配置され、制御部と接続されるように外部記憶素子２０を装着可能な外部記憶素子装着部２１を更に備え、制御部は、装着された外部記憶素子に記憶された情報を用いて制御あるいは表示を行うことが可能なように構成される。【選択図】図１Ａ
2010004943.tif 000002
【特許請求の範囲】
【請求項１】
内部に調理空間が設けられ、前記調理空間に通じる上面開口部を有する本体と、
前記本体に回動可能に支持され、前記上面開口部を開閉自在に覆う蓋体と、
前記調理空間での調理処理を機能させる調理処理部と、
前記本体の表面部に前記上面開口部と隣接して配置され、前記調理処理部の動作を操作するための操作要素および表示要素が配置された操作・表示部と、
前記操作・表示部による操作および記憶されたプログラムに従って前記調理処理部の動作を制御する制御部とを備えた電気調理装置において、
前記操作・表示部の近傍に配置され、前記制御部と接続されるように外部記憶素子を装着可能な外部記憶素子装着部を更に備え、前記制御部は、装着された前記外部記憶素子に記憶された情報を用いて制御あるいは表示を行うことが可能なように構成されたことを特徴とする電気調理装置。
【請求項２】
前記外部記憶素子装着部は、前記外部記憶素子の接続端子を挿入可能な接続口と、前記接続口の内部に設けられた前記外部記憶素子の接続端子と接続可能な端子部と、前記接続口を封鎖する位置と開放する位置とをとり得るカバー部材とを備えた請求項１に記載の電気調理装置。
【請求項３】
前記外部記憶素子装着部は、装着された前記外部記憶素子が前記本体内に収容され、その状態で前記接続口を封鎖するように前記カバー部材を位置させることが可能である請求項２に記載の電気調理装置。
【請求項４】
前記本体における前記操作・表示部に隣接した前側面は、庇状に張り出した傾斜面を形成し、
前記外部記憶素子装着部は、前記本体の前側面の上部に配置され、
前記外部記憶素子は、前記外部記憶素子装着部に装着された状態で、前記接続口から下方に向かって傾斜して突出する請求項１に記載の電気調理装置。
【請求項５】
前記本体表面に、前記外部記憶素子装着部と前記上面開口部の間の領域を横切って凸部が形成されている請求項１に記載の電気調理装置。
【請求項６】
前記本体に回動可能な把手が設けられ、前記把手の最外縁の回動範囲が、前記外部記憶素子装着部に対向する位置に達しないように設定されている請求項１に記載の電気調理装置。
【請求項７】
前記本体に回動可能な把手が設けられ、前記把手の回動範囲が前記外部記憶素子装着部に装着された外部記憶素子に接触する位置に達しないように、前記把手の回動を規制する回動規制部が設けられている請求項１に記載の電気調理装置。
【請求項８】
前記蓋体による前記上面開口部の閉鎖状態において前記蓋体を係止する蓋体保持機構と、
前記蓋体保持機構による前記蓋体の係止を解除する開放レバーとを備え、
前記制御部は、前記外部記憶素子装着部への前記外部記憶素子の装着の有無を検知し、前記外部記憶素子が装着された状態においては、前記開放レバーの操作が不能となるように制御する請求項１に記載の電気調理装置。
【請求項９】
前記制御部は、前記外部記憶素子装着部への前記外部記憶素子の装着の有無を検知し、前記外部記憶素子が装着された状態においては、調理のための操作が不能なように制御する請求項１に記載の電気調理装置。
【請求項１０】
前記本体の振動を検知する振動センサを備え、
前記外部記憶素子装着部に前記外部記憶素子が装着された状態において、前記振動センサが所定の大きさ以上の振動を検知したとき、前記制御部は警報を発する制御を行う請求項１に記載の電気調理装置。
【発明の詳細な説明】
【技術分野】
【０００１】
本発明は、電気炊飯器等の電気調理装置に関し、特に、調理動作を制御する制御部が、外部記憶素子に記憶されたデータを使用することが可能なように構成された電気調理装置に関する。
【背景技術】
【０００２】
電気炊飯器等の電気調理装置では通常、制御部を構成するマイクロコンピュータにより、予め記憶されたプログラムに従って、加熱調理メニューの設定及び処理のための制御が実行される。マイクロコンピュータのプログラミングによって、ユーザーが電気調理装置に求める機能の多様化、高付加価値化に対応することが可能である。例えば電気炊飯器のような比較的少ない機能の電気調理装置にあっても、炊飯制御だけでなくパン焼き機能及び発酵機能等を備えた多機能のものが商品化されている。炊飯制御についても、米の種類（白米、分つき米、玄米等）に応じたきめ細かな炊飯メニューやおかゆ、おこわ等の種類の異なる炊飯メニューも用意されている。
【０００３】
マイクロコンピュータによる制御に関しては更に、データ通信機能を利用してユーザーが機能の拡張又は変更を行うことが知られている。近年、インターネットが普及したことで、メーカーのホームページから、機器の取り扱い方法や調理方法等、種々のデータをダウンロードすることも一般的になった。従って、メーカーでの初期設定（調理レシピも含め）だけでは満足しないユーザーのために、調理レシピ・機器設定値等をダウンロードして製品にアップロードする機能を設けることが、例えば、特許文献１に開示されている。
【特許文献１】特開２００６−２９０７８９号公報
【発明の開示】
【発明が解決しようとする課題】
【０００４】
上述のような機能の拡張は、データ通信により収集されるデータを、制御部を構成するマイクロコンピュータに転送するのではなく、ＵＳＢメモリ、カードメモリ等の外部記憶素子を利用して行うことも可能である。すなわち、外部記憶素子に予めデータ通信によりデータを記憶させ、その外部記憶素子を調理装置に装着することにより、制御部のマイクロコンピュータがデータを取得して機能の拡張等の処理を行うことができる。
【０００５】
そのような方法による機能の拡張を可能とするためには、電気調理装置に外部記憶素子を装着するための接続部を設ける必要がある。但し、電気調理装置は種々の使用者を想定する必要があるため、外部記憶素子装着部は、電気調理装置の操作との関係で活用し易い箇所に設ける必要がある。
【０００６】
また、電気調理装置では、蓋の開閉時に調理空間から水滴が漏れる場合があるため、外部記憶素子装着部あるいは外部記憶素子自体の接続端子が、湿気・水滴等により汚損されるおそれがある。
【０００７】
更に、外部記憶素子の装着時に、外部記憶素子に対して電気調理装置の動作等に起因する不測の電圧が印加され、データ破損や誤動作を招くおそれもある。あるいは、装着された外部記憶素子に力学的な負荷がかかり、機械構造的な損傷を受ける場合もある。
【０００８】
従って本発明は、外部記憶素子からデータを読み込み活用するための操作が容易なように、外部記憶素子の装着部が設けられた電気調理装置を提供することを目的とする。
【０００９】
また、外部記憶素子の装着時、あるいは装着中における、外部記憶素子に記憶されたデータの安全性や、機械構造的な損傷に対する安全性を確保可能なように外部記憶素子の装着部が設けられた電気調理装置を提供することを目的とする。
【課題を解決するための手段】
【００１０】
本発明の電気調理装置は、基本的な構成として、内部に調理空間が設けられ、前記調理空間に通じる上面開口部を有する本体と、前記本体に回動可能に支持され、前記上面開口部を開閉自在に覆う蓋体と、前記調理空間での調理処理を機能させる調理処理部と、前記本体の表面部に前記上面開口部と隣接して配置され、前記調理処理部の動作を操作するための操作要素および表示要素が配置された操作・表示部と、前記操作・表示部による操作および記憶されたプログラムに従って前記調理処理部の動作を制御する制御部とを備える。
【００１１】
上記課題を解決するために、前記操作・表示部の近傍に配置され、前記制御部と接続されるように外部記憶素子を装着可能な外部記憶素子装着部を更に備え、前記制御部は、装着された前記外部記憶素子に記憶された情報を用いて制御あるいは表示を行うことが可能なように構成される。
【発明の効果】
【００１２】
上記構成によれば、外部記憶素子が操作・表示部の近傍に装着されるので、外部記憶素子を接続した状態で表示を見ながらの操作が可能となり、外部記憶素子からデータを読み込み活用するための操作が容易になる。
【発明を実施するための最良の形態】
【００１３】
本発明の電気調理装置は、上記構成を基本として、以下のような態様をとることができる。
【００１４】
すなわち、前記外部記憶素子装着部は、前記外部記憶素子の接続端子を挿入可能な接続口と、前記接続口の内部に設けられた前記外部記憶素子の接続端子と接続可能な端子部と、前記接続口を封鎖する位置と開放する位置とをとり得るカバー部材とを備えた構成とすることができる。この場合、前記外部記憶素子装着部は、装着された前記外部記憶素子が前記本体内に収容され、その状態で前記接続口を封鎖するように前記カバー部材を位置させることが可能な構成とすることができる。
【００１５】
また、前記本体における前記操作・表示部に隣接した前側面は、庇状に張り出した傾斜面を形成し、前記外部記憶素子装着部は、前記本体の前側面の上部に配置され、前記外部記憶素子は、前記外部記憶素子装着部に装着された状態で、前記接続口から下方に向かって傾斜して突出する構成とすることができる。
【００１６】
また、前記本体表面に、前記外部記憶素子装着部と前記上面開口部の間の領域を横切って凸部が形成された構成とすることができる。
【００１７】
また、前記本体に回動可能な把手が設けられ、前記把手の最外縁の回動範囲が、前記外部記憶素子装着部に対向する位置に達しないように設定された構成とすることができる。
【００１８】
また、前記本体に回動可能な把手が設けられ、前記把手の回動範囲が前記外部記憶素子装着部に装着された外部記憶素子に接触する位置に達しないように、前記把手の回動を規制する回動規制部が設けられた構成とすることができる。
【００１９】
また、前記蓋体による前記上面開口部の閉鎖状態において前記蓋体を係止する蓋体保持機構と、前記蓋体保持機構による前記蓋体の係止を解除する開放レバーとを備え、前記制御部は、前記外部記憶素子装着部への前記外部記憶素子の装着の有無を検知し、前記外部記憶素子が装着された状態においては、前記開放レバーの操作が不能となるように制御することが好ましい。
【００２０】
また、前記制御部は、前記外部記憶素子装着部への前記外部記憶素子の装着の有無を検知し、前記外部記憶素子が装着された状態においては、調理のための操作が不能なように制御することが好ましい。
【００２１】
また、前記本体の振動を検知する振動センサを備え、前記外部記憶素子装着部に前記外部記憶素子が装着された状態において、前記振動センサが所定の大きさ以上の振動を検知したとき、前記制御部は警報を発する制御を行う構成とすることができる。
【００２２】
以下、本発明の実施の形態における電気調理装置について、炊飯器の場合を例として、図面を参照しながら説明する。
【００２３】
（実施の形態１）
図１Ａは、本発明の実施の形態１における炊飯器を示す断面図である。炊飯器本体１は、容器収容のための開口部１ａを有し、開口部１ａを開閉自在に覆う蓋体２が設けられている。炊飯器本体１の上面部には、蓋体２に隣接して、操作・表示部３が設けられている。蓋体２は、ヒンジユニット４を介して炊飯器本体１に開閉自在に支持される。炊飯器本体１は、合成樹脂製の一体成形品からなる外ケース５を有し、この外ケース５の内部には、鍋６が着脱自在に装填される。
【００２４】
鍋６の外側には、鍋６の形状に沿った保護枠である内ケース７が設けられている。内ケース７の底部中央にはセンサ挿入孔７ａが形成され、センサ挿入孔７ａを通してサーミスタからなる温度センサ８が、鍋６に臨むように配置されている。内ケース７の上端は、外ケース５の上端と肩部材９を介して一体的に結合され、外ケース５、内ケース７、及び肩部材９に囲まれた内部に空間部１０が形成されている。内ケース７の外側には、鍋６を誘導加熱するための誘導コイル（図示省略）が設けられている。
【００２５】
炊飯器本体１の上面部には、蓋体２の設けられた開口に隣接して、操作・表示部３の下部に、炊飯器の動作を制御する制御部１１が配置されている。制御部１１は、マイクロコンピュータ等が搭載された回路基板により構成されている。マイクロコンピュータは、予め記憶されたプログラムにしたがって炊飯器全体の制御を実行する。制御部１１には、温度センサ８の出力信号により温度を検出するための温度検出回路や、ブザー、電源回路等も搭載されている。
【００２６】
制御部１１により、炊き上がりの報知やキー操作音等のために鳴動するブザーや、操作・表示部３も制御される。制御部１１による各種制御は、フラッシュメモリ、ＥＥＰＲＯＭ等の、書き換え可能な不揮発性メモリーで構成されたメモリに記憶されたプログラムにしたがって実行される。
【００２７】
蓋体２は、中央部に蒸気排出口１２を有し、蓋体２の図示したように閉じた状態において、蓋体２のシールパッキンが鍋６の口縁部に上方から圧接されて鍋６を密閉し、炊飯や保温を行う状態となる。また、蓋体２は、この閉鎖状態で炊飯器本体１に係止され、その係止状態は開放レバー１３により解除される。
【００２８】
操作・表示部３の平面図を図１Ｂに示す。操作・表示部３には、各種のスイッチ１４〜１８、および液晶表示部１９が設けられている。各種のスイッチ１４〜１８は、炊飯スイッチ、保温スイッチ、各種メニューを設定するメニュースイッチ、時間を設定するタイマースイッチ等を含む。
【００２９】
本実施の形態では、図１Ａに示すように炊飯器本体１の上面の外縁部に、外部記憶素子であるＵＳＢメモリ２０を装着するための、外部記憶素子装着部２１が設けられている。外部記憶素子装着部２１は、図１Ｂに示すように操作・表示部３内に配置されている。但し、操作・表示部３内でなくとも、操作・表示部３の近傍領域に配置されればよい。ＵＳＢメモリ２０等の着脱可能な外部記憶素子を、操作・表示部３の近傍に装着可能とすることにより、外部記憶素子を接続した状態で表示を見ながらの操作が可能となる。
【００３０】
外部記憶素子装着部２１は、接続口２２およびカバー部材２３からなり、カバー部材２３は、支軸２４により回動可能に支持されている。図１Ｂは、ＵＳＢメモリ２０が装着されていない状態を示している。接続口２２の内部には接続端子（図示せず）が配置され、図１Ａに示したようにＵＳＢメモリ２０が装着されることにより、ＵＳＢメモリ２０の端子と接続される。
【００３１】
カバー部材２３は接続口２２を保護する機能のために設けられ、回動して、図１Ｂに示す開放状態と、図示しないが、接続口２２を閉鎖する状態をとることができる。図１ＢのようにＵＳＢメモリ２０が装着されていない状態で、カバー部材２３を封鎖する状態にすれば、接続口２２からの水滴、塵埃等の侵入を防ぐことができる。接続口を保護するカバー部材は、回動により開閉する形態に限らず、スライドにより開閉されるシャッター形態とすることもできる。
【００３２】
ＵＳＢメモリ２０は、例えばインターネット上のウェブサーバーから取得したデータを記憶させた状態で装着される。電気調理装置の制御部１１は、ＵＳＢメモリ２０からデータを読み込み、そのデータに基づいて機能の拡張又は変更を行うことができる。なお、ＵＳＢメモリ２０のデータは、制御部１１に転送された後、炊飯器本体１内のメモリに格納して、ＵＳＢメモリ２０を取り外した後も利用可能とすることが望ましい。また、外部記憶素子はＵＳＢメモリーに限られず、メモリーカード等の他の記憶素子を用いても良い。
【００３３】
ＵＳＢメモリ２０から受取ったデータを、制御部１１のメモリのお気に入りフォルダに格納し、お気に入りから調理開始することができるように構成することもできる。それにより、各ユーザ固有のレシピを一番先に表示させて、使い易く設定することができる。
【００３４】
図２Ａは、本実施の形態における炊飯器の他の態様を示す断面図である。概ね図１Ａに示した炊飯器と同様の構成であり、外部記憶素子装着部２５の構成のみが相違するので、同一の要素については同一の参照符号を付して、説明の繰り返しを省略する。
【００３５】
この外部記憶素子装着部２５は、外部記憶素子としてメモリーカードを用いる場合に適用される構成を有し、２つのメモリーカード２６ａ、２６ｂを装着可能である。外部記憶素子装着部２５には、メモリーカード２６ａ、２６ｂを挿入可能な接続口２７ａ、２７ｂが設けられ、接続口２７ａ、２７ｂの内部には、メモリーカード２６ａ、２６ｂの接続端子と接続可能な端子部（図示せず）が設けられている。図２Ａに示されるように、装着されたメモリーカード２６ａ、２６ｂは、本体１内に収容された状態になる。
【００３６】
カバー部材２８は、２つの接続口２７ａ、２７ｂの双方を含む領域を覆って閉鎖することが可能である。接続口２７ａ、２７ｂの周囲には、シール部材２９が設けられている。カバー部材２８には、閉鎖状態でシール部材２９に対向する位置に、シール押圧突条３０が形成されている。カバー部材２８を閉鎖した状態で、シール部材２９をシール押圧突条３０が押圧することにより密閉効果が得られ、ほこり・湿気・水滴等の侵入を防止して、接続口２７ａ、２７ｂを保護する効果を向上させることができる。
【００３７】
（実施の形態２）
図３は、実施の形態２における炊飯器を示す断面図である。この炊飯器の構成は、概ね図１Ａに示したものと同様であり、同一の要素については同一の参照符号を付して、説明の繰り返しを省略する。
【００３８】
本実施の形態では、炊飯器本体１における操作・表示部３に隣接した前側面１ｂが、庇状に張り出した傾斜面を形成している。外部記憶素子装着部３１は、炊飯器本体１の前側面１ｂの上部に配置されている。従って、ＵＳＢメモリ２０は、外部記憶素子装着部３１に装着された状態で、接続口３２から下方に向かって傾斜した状態になる。
【００３９】
この構成によれば、炊飯器本体１の開口部１ａから漏れた水滴が、外部記憶素子装着部３１の位置まで到達し難い形状となる。また、塵埃も接続口３２から侵入し難い状態となる。従って、外部記憶素子装着部を操作・表示部３の領域内に配置した場合と比べて、水滴、塵埃等からの接続口３２の保護が容易である。
【００４０】
（実施の形態３）
図４は、実施の形態３における炊飯器を示す断面図である。この炊飯器の構成は、概ね図１Ａに示したものと同様であり、同一の要素については同一の参照符号を付して、説明の繰り返しを省略する。
【００４１】
本実施の形態では、図１Ａと同様の外部記憶素子装着部２１が設けられている。但し、炊飯器本体１の表面に、外部記憶素子装着部２１と上面開口部１ａの間の領域を横切って、壁状に凸部３３が形成されている。凸部３３は、炊飯器本体１の開口部１ａから漏れた水滴が、外部記憶素子装着部２１の位置に向かって流れることを阻止するように構成されている。これにより、外部記憶素子装着部２１を水滴から保護する効果が得えられる。
【００４２】
（実施の形態４）
図５は、実施の形態４における炊飯器を示す側面図である。通常の炊飯器と同様、炊飯器本体１の側部に、把手３４が回動可能に取り付けられている。把手３４は、炊飯器を運搬するためのものであり、図５Ａは、非運搬時に折りたたまれた状態を示す。本実施の形態は、外部記憶素子が装着された状態で炊飯器本体１の表面から突出する構成の場合に、把手３４を操作することにより外部記憶素子が損傷を受けるおそれを解消することを意図したものである。
【００４３】
把手３４の最外縁は、可能な範囲で回動させたときに破線３５で示すような軌跡を描く。図示されたとおり、装着されたＵＳＢメモリ２０は、破線３５で示された軌跡から離れた位置に装着されている。すなわち、把手３４の最外縁の回動範囲は、外部記憶素子装着部２１に対向する位置に達しないように設定されている。従って、把手３４を回動させても、ＵＳＢメモリ２０が損傷を受けるおそれがない。
【００４４】
図６は、本実施の形態における炊飯器の他の構成を示す側面図である。この構成では、把手３４の回動範囲が、外部記憶素子装着部２１に装着されたＵＳＢメモリ２０に接触する位置に達しないように、把手３４の回動を規制する回動規制部３６が設けられている。これにより、把手３４の回動によりＵＳＢメモリ２０が損傷を受けるおそれが解消される。
【００４５】
（実施の形態５）
図７は、実施の形態５における炊飯器を示す断面図である。この炊飯器の構成は、概ね図１Ａに示したものと同様であり、同一の要素については同一の参照符号を付して、説明の繰り返しを省略する。
【００４６】
蓋体２は、開口部１ａを閉鎖した状態において、開放方向への回動が不能なように蓋体保持機構３７により炊飯器本体１に係止される。この蓋体保持機構３７による係止状態は、開放レバー１３を押下することにより解除され、蓋体２は上方に回動して開口部１ａを開放する。
【００４７】
本実施の形態においては、外部記憶素子装着部２１にＵＳＢメモリ２０が装着された状態では、開放レバー１３の操作が不能となるように制御される。すなわち、開放レバー１３の下部に制止部材３８が配置され、制御部１１は、ＵＳＢメモリ２０が装着された状態を検知して、その検知信号に基づき制止部材３８の動作を制御する。ＵＳＢメモリ２０が装着されていない状態では、制止部材３８の変位は自由であり、制止部材３８は開放レバー１３の押下に伴い変位する。ＵＳＢメモリ２０が装着された状態では、制止部材３８は、図示したように開放レバー１３の下部に対向した状態に固定され、開放レバー１３の下方への動きが制止される。
【００４８】
このように、ＵＳＢメモリ２０が装着された状態では蓋体２が開放されないように制御することにより、蓋体２の開放により開口部１ａから水滴が漏洩して、ＵＳＢメモリ２０の接続部に侵入することが防止される。
【００４９】
（実施の形態６）
実施の形態６における炊飯器は、機械的な構造は図１Ａに示したものと同様であり、図１Ａを参照して説明する。本実施の形態では、外部記憶素子装着部２１に装着されたＵＳＢメモリ２０等の外部記憶素子を保護するために、電気的な動作に対する制御が行われる。
【００５０】
すなわち、制御部１１は、ＵＳＢメモリ２０が装着された状態を検知し、その検知信号に基づき、ＵＳＢメモリ２０が装着された状態においては、調理のための操作が不能なように制御する。それにより、ＵＳＢメモリ２０のデータ破損や、誤動作を防止することができる。また、ＵＳＢメモリ２０が装着された状態で、操作・表示部３のスイッチが操作された場合に、警報を発するように制御することもでき、データ破損や、誤動作の防止に効果的である。
【００５１】
また、他の構成として、炊飯器本体１の振動を検知する振動センサ（図示せず）を備える。制御部１１は、振動センサの出力に基づき、ＵＳＢメモリ２０が装着された状態において、所定の大きさ以上の振動を検知したときには、警報を発するように制御を行う。例えば、炊飯器を移動させようとした場合に、相当な振動が発生した場合に警報を発して、取り扱いに注意を促す。
【００５２】
ＵＳＢメモリ２０等の記憶素子は振動に弱いものであり、装着時に振動が加わるとデータ破損や、誤動作が発生し易くなる。従って、この構成により振動を与えることを回避することは、記憶素子の安全のために好ましい。
【産業上の利用可能性】
【００５３】
本発明の電気調理装置は、外部記憶素子からデータを読み込み活用するための操作が容易なように、外部記憶素子の装着部が設けられており、電気炊飯器、電気ポット等に有用である。
【図面の簡単な説明】
【００５４】
【図１Ａ】実施の形態１における電気調理装置の一例である炊飯器の断面図
【図１Ｂ】同炊飯器の操作・表示部を示す平面図
【図２Ａ】実施の形態１における電気調理装置の他の例である炊飯器の断面図
【図２Ｂ】同炊飯器の操作・表示部を示す平面図
【図３】実施の形態２における電気調理装置の一例である炊飯器の断面図
【図４】実施の形態３における電気調理装置の一例である炊飯器の断面図
【図５】実施の形態４における電気調理装置の一例である炊飯器の側面図
【図６】実施の形態４における電気調理装置の他の例である炊飯器の側面図
【図７】実施の形態５における電気調理装置の一例である炊飯器の断面図
【符号の説明】
【００５５】
１  炊飯器本体
１ａ  開口部
２  蓋体
３  操作パネル
４  ヒンジユニット
５  外ケース
６  鍋
７  内ケース
７ａ  センサ挿入孔
８  温度センサ
９  肩部材
１０  空間部
１１  制御部
１２  蒸気排出口
１３  開放レバー
１４〜１８  スイッチ
１９  液晶表示部
２０  ＵＳＢメモリ
２１、２５、３１  外部記憶素子装着部
２２、２７ａ、２７ｂ、３２  接続口
２３、２８  カバー部材
２４  支軸
２６ａ、２６ｂ  メモリーカード
２９  シール部材
３０  シール押圧突条
３３  凸部
３４  把手
３５  破線
３６  回動規制部
３７  蓋体保持機構
３８  制止部材
【図１Ａ】
2010004943.tif 000003
【図１Ｂ】
2010004943.tif 000004
【図２Ａ】
2010004943.tif 000005
【図２Ｂ】
2010004943.tif 000006
【図３】
2010004943.tif 000007
【図４】
2010004943.tif 000008
【図５】
2010004943.tif 000009
【図６】
2010004943.tif 000010
【図７】
2010004943.tif 000011